(57)【要約】【課題】１種類の部材で、平面や種々の角度の出隅部、入隅部に対応して施工できる目地の施工構造を提供する。【解決手段】可撓性材料からなる施工構造であって、左取付け部１と右取付け部２と、該左右取付け部１、２を表面側で結合するとともに目地を覆うカバー部３とからなり、上記左取付け部１には左外装材Ｂの側端部Ｂ１が嵌装され、上記右取付け部２には右外装材Ｂの側端部Ｂ２が嵌装される目地の施工構造Ａ。好ましくは、上記左右取付け部１、２が半円筒状の受け部分１１、２１を含む平面視Ｊ字型とされているとともに、上記外装材Ｂの側端部Ｂ１、Ｂ２が上記受け部分１１、２１に起立して嵌装される半円柱状とされる。【選択図】図１
2005054434.tif 000002
【特許請求の範囲】
【請求項１】
可撓性材料からなる目地の施工構造であって、左取付け部と右取付け部と、該左右取付け部を表面側で結合するとともに目地を覆うカバー部とからなり、上記左取付け部には左外装材の側端部が嵌装され、上記右取付け部には右外装材の側端部が嵌装される目地の施工構造。
【請求項２】
上記左取付け部および右取付け部が、それぞれ半円筒状の受け部分を含む平面視Ｊ字型とされているとともに、上記左右外装材の側端部が上記受け部分にそれぞれ嵌装される半円柱状とされた請求項１に記載の目地の施工構造。
【請求項３】
上記可撓性材料がゴムまたは軟質合成樹脂である請求項１に記載の目地の施工構造。
【請求項４】
一方の外装材の側端部の裏面側を部分円筒状に切り欠いて雌実とし、隣り合う外装材の側端部の表面側に上記雌実と実結合する部分円柱状の雄実を突設し、両者を曲面摺動自在に実結合してなる目地の施工構造。
【請求項５】
上記目地が、さらにシーリング材によりシーリング加工された請求項４に記載の目地の施工構造。
【発明の詳細な説明】
【技術分野】
【０００１】
本発明は、目地の施工構造に関する。さらに詳しくは、隣り合う外装材の突合せや出隅部、入隅部の継ぎ目に、雨水の浸入防止、意匠性の向上等を目的として取付けられる目地の施工構造に関する。
【０００２】
従来、上記目地の施工構造としては、下地材に外装材を隣り合わせて組み付け、縦長の目地にシーリング材を充填する構造がよく知られており、また、雄実を雌実に嵌合する本実加工、互いに端部を同形に切り欠いて重ね合わせる相じゃくり加工等、実加工による目地の施工構造についても、種々提案されている。（例えば、特許文献１、２、３参照。）。
【特許文献１】特開平１１−２８０１７６号公報（第１−４頁、第１図）
【特許文献２】実開平３−８０８３４号公報（第１頁、第１、２図）
【特許文献３】特開昭５７−１２７０５０号公報（第１頁、第１、２図）
【発明の開示】
【発明が解決しようとする課題】
【０００３】
近年、和風、洋風あるいはそれらの折衷型等、種々のデザインの住宅が提供され、その外装も多種多様となり、例えば、半円形のバルコニー等、外側に曲面部分を有する住宅もよく見られる。このような、住宅においては、外装材を鈍角の出隅で継ぎ合わせて曲面を構成する必要があるが、そのための目地の施工は手間がかかり、作業性が悪いという問題がある。また、鈍角出隅部は、その表面側の幅が若干広くなるため、シーリングのために充填するシーリング材の量も多くなり、コスト、手間が共にかかるという問題もある。本発明は、このような問題を解決するためになされたものであって、１種類の部材で、平面や種々の角度の出隅部、入隅部に対応できるとともに、経済的に有利に目地の施工を行なえる構造を提供することを、その課題とする。
【課題を解決するための手段】
【０００４】
上記課題を解決するため、本願第一発明においては、つぎのような技術的手段を講じている。すなわち、第一発明によれば、可撓性材料からなる目地の施工構造であって、左取付け部と右取付け部と、該左右取付け部を表面側で結合するとともに目地を覆うカバー部とからなり、上記左取付け部には左外装材の側端部が嵌装され、上記右取付け部には右外装材の側端部が嵌装される目地の施工構造が提供される。
【０００５】
上記左取付け部および右取付け部が、それぞれ半円筒状の受け部分を含む平面視Ｊ字型とされているとともに、上記左右外装材の側端部が上記受け部分にそれぞれ嵌装される半円柱状とされる。
【０００６】
上記可撓性材料としては、各種合成ゴムまたは各種軟質合成樹脂が好ましく用いられる。とくにシリコンゴムを用いることが好ましい。
【０００７】
本願第二発明は、一方の外装材の側端部の裏面側を部分円筒状に切り欠いて雌実とし、隣り合う外装材の側端部の表面側に上記雌実と実結合する部分円柱状の雄実を突設し、両者を曲面摺動自在に実結合してなる目地の施工構造である。該目地をさらにシーリング材によってシーリング加工することが好ましい。
【発明の効果】
【０００８】
請求項１に記載の本願第一発明は、上記のとおりであり、左取付け部と右取付け部と、該左右取付け部を表面側で結合するとともに目地を覆うカバー部とからなる目地の施工構造が可撓性材料から構成されているため、１種類の部材で、平面や種々の角度の出隅部、入隅部に対応可能な目地の施工構造を提供することができる。
【０００９】
上記左取付け部および右取付け部が、それぞれ半円筒状の受け部分を含む平面視Ｊ字型とされているとともに、上記外装材の側端部が上記受け部分にそれぞれ嵌装される半円柱状とされるため、半円柱状の側端部が、半円筒状の受け部分の内側に滑らかに嵌装されて密着し、雨水の浸入等を防ぐ。
【００１０】
上記可撓性材料としては、各種合成ゴムまたは各種軟質合成樹脂が好ましく用いられ、とくにシリコンゴムが、耐水性、耐候性に優れているため、長期間使用することができる。
【００１１】
請求項４に記載の本願第二発明は、上記のとおりであり、隣り合う外装材の側端部にそれぞれ、部分円筒状に切り欠いた雌実と、上記雌実と実結合する部分円柱状の雄実を設け、両者を曲面摺動自在に実結合しているため、隣り合う外装材の相対位置を下地材の曲面に合わせて変えることにより、平面ないしは種々の角度の出隅部に対応して作業性よく、目地の施工をすることができる。
【００１２】
上記目地に、さらにシーリング材を充填してシーリング加工することにより、雨水の浸入等を防止するとともに、少ない充填量で、仕上げ感よく目地の施工をすることができる。
【発明を実施するための最良の形態】
【００１３】
以下、第一発明にかかる目地の施工構造の実施形態を図面を参照して詳細に説明する。図１は耐水性、耐候性のあるシリコンゴムを押出し成型してなる第一発明にかかる目地の施工構造Ａを示す斜視図である。図１において、目地の施工構造Ａは、平面視Ｊ字型の左取付け部１、右取付け部２および上記両取付け部を建物の表側で結合し目地を覆うカバー部３とからなる。図１から明らかなように、本実施形態においては、左右取付け部１、２における外装材の側端部の受け部分１１、２１は半円筒状とされている。
【００１４】
図２は、平面状の下地材Ｄに、本発明の目地の施工構造Ａを用いて半円柱状の側端部Ｂ１、Ｂ２を有する外装材Ｂを取付け、固定用釘４によって固定した状態を示す平断面図である。図３は、鈍角出隅部を構成する下地材Ｄに、上記施工構造Ａを用いて外装材Ｂを取付け、固定用釘４によって固定した状態を示す平断面図である。図３からよくわかるように、シリコンゴムからなる目地の施工構造Ａは、出隅部の角度に追従して自由に曲がるため、下地材Ｄにしっかりと取付けられる。また、左右外装材Ｂの半円柱状の側端部Ｂ１、Ｂ２は、左右取付け部１、２の半円筒状の受け部分１１、２１に密着して嵌装され、雨水の浸入等を防ぐ。
【００１５】
図４は、入隅部を構成する下地材Ｄに、上記施工構造Ａを用いて外装材Ｂを取付け、固定用釘４によって固定した状態を示す平断面図である。このときも、図３における場合と同様に、施工構造Ａは、入隅部の角度に追従して下地材Ｄにしっかりと取付けられるとともに、左右外装材Ｂの半円柱状の側端部Ｂ１、Ｂ２は、左右取付け部１、２の半円筒状を有する受け部分１１、２１に密着して嵌装され、雨水の浸入等を防ぐ。このように、シリコンゴムから構成された本発明の目地の施工構造Ａは、施工現場における出隅部、入隅部の角度に追従して自由に曲がるため、適用範囲が広く、作業効率を大きく向上させることができる。
【００１６】
つぎに、第二発明にかかる目地の施工構造の実施形態を図面を参照して詳細に説明する。図５は、左側の外装材Ｃ１の側端部の裏面側を部分円筒状に切り欠いて雌実５とし、右側の外装材Ｃ２の側端部の表面側に、上記雌実５と実結合する部分円柱状の雄実６を突設し、両者を平面状の下地材Ｄの上に取付け、実結合してなる目地の施工構造を示す平断面図である。このとき、実結合部からの雨水の浸入防止等のために、紐状パッキン７が嵌挿されている。
【００１７】
図５は、下地材Ｄが平面状の場合について示しているが、半円形のバルコニー等、曲面を有する外壁に施工するときは、雌実５と雄実６とが曲面摺動自在に実結合されているため、下地材Ｄの曲面に追従して取付けることができる。図６は、鈍角の出隅に、第二発明にかかる目地の施工構造を取付けた状態を示す平断面図である。図６からよくわかるように、左右の外装材Ｃ１、Ｃ２は、実結合部において摺動して裏面側に回動するため、複数の外装材を列立して曲面を形成することができる。このとき、目地幅が若干大きくなるため、シリコンラバー等のシーリング材８を充填して、目地のシーリングを見栄えよく行なう。上記したように、目地幅が若干大きくなるものの浅いため、シーリング材８の充填量は、比較的少量で済み、低コストで、作業性よく、また、優れた仕上げ感で、鈍角出隅部の目地の施工をすることができる。
【図面の簡単な説明】
【００１８】
【図１】第一発明にかかる目地の施工構造を示す斜視図である。
【図２】上記施工構造を平面状の下地材に用いた状態を示す平断面図である。
【図３】上記施工構造を鈍角出隅部に用いた状態を示す平断面図である。
【図４】上記施工構造を入隅部に用いた状態を示す平断面図である。
【図５】第二発明にかかる目地の施工構造を平面状の下地材に用いた状態を示す平断面図である。
【図６】上記施工構造を鈍角出隅部に用いた状態を示す平断面図である。
【符号の説明】
【００１９】
Ａ          第一発明にかかる目地の施工構造
Ｂ          第一発明にかかる外装材
Ｂ１、Ｂ２  上記の半円柱状側端部
１          左取付け部
１１        同上受け部分
２          右取付け部
２１        同上受け部分
３          カバー部
４          固定用釘
Ｃ１        第二発明にかかる左側の外装材
Ｃ２        第二発明にかかる右側の外装材
５          部分円筒状雌実
６          部分円柱状雄実
７          紐状パッキン
８          シーリング材
Ｄ          下地材
【図１】
2005054434.tif 000003
【図２】
2005054434.tif 000004
【図３】
2005054434.tif 000005
【図４】
2005054434.tif 000006
【図５】
2005054434.tif 000007
【図６】
2005054434.tif 000008